(57)【要約】【課題】衝突初期にはルーフレインフォースメントへ荷重入力させずに、ルーフレールのねじれ変形と曲げ変形とで側突荷重を受け止めた後、ルーフレインフォースメントへ低減された荷重、かつ曲げモーメントの小さい荷重を伝達することにより、ルーフレインフォースメントの座屈がルーフの車幅方向側部近傍で発生しない車両の上部車体構造を提供する。【解決手段】ルーフレール４，４間に配設されたルーフパネル５と、ルーフパネル５下側において車幅方向に延びるルーフレインフォースメント１４と、センタピラー６と、ルーフレインフォースメント１４の車幅方向端部に結合されたガセット３０とを備え、ルーフレインフォースメント１４とガセット３０とは、パネル接合部２０に接合されておらず、ルーフレール４とガセット３０とが離隔した離隔部３１を形成、または、ルーフレール４とガセット３０との連結部近傍に脆弱な脆弱部が形成されたことを特徴とする。【選択図】図３
2014125039.tif 000002
【特許請求の範囲】
【請求項１】
車体のルーフ部の左右両端部に車両前後方向に延びるようにそれぞれ設けられ、車幅方向内側端部に、複数のパネルが互いに上下方向に重なって接合された断面凹状のパネル接合部が形成された左右一対のルーフレールと、
上記左右一対の両ルーフレール間に配設されたルーフパネルと、
上記ルーフパネルの下側において車幅方向に延びるルーフレインフォースメントと、
上記ルーフレインフォースメントと車両前後方向に重なる位置で上部が上記ルーフレールに結合されると共に、下方へ延びるセンタピラーと、
上記ルーフレインフォースメントの車幅方向端部に結合されたガセットと、
を備えた車両の上部車体構造であって、
上記ルーフレインフォースメントとガセットとは、上記パネル接合部に接合されておらず、上記ルーフレールとガセットとが離隔した離隔部を形成、または、ルーフレールとガセットとの連結部近傍に脆弱な脆弱部が形成された
車両の上部車体構造。
【請求項２】
上記離隔部または上記脆弱部が上記パネル接合部の下方に位置する
請求項１記載の車両の上部車体構造。
【請求項３】
上記ルーフレールはルーフレールアウタとルーフレールインナとを有し、
上記ルーフレールインナのガセット対向面が略垂直に形成されており、
上記離隔部においてルーフレールインナのガセット対向面とガセット端部の対向面とが互いに略平行となるように配設された
請求項１または２記載の車両の上部車体構造。
【請求項４】
上記ルーフレールはルーフレールアウタとルーフレールインナとを有し、
上記ルーフレールインナのガセット対向面が略垂直に形成されており、
上記脆弱部の車幅方向内側端部の位置に上記ルーフレールインナのガセット対向面と略平行な対向部が形成された
請求項１または２記載の車両の上部車体構造。
【請求項５】
上記ルーフレインフォースメントと前後方向および上下方向で重なる位置の上記ルーフレール内に節部材が配設された
請求項１〜４の何れか1項に記載の車両の上部車体構造。
【請求項６】
上記ルーフレールインナのガセット対向面が、上記ルーフレインフォースメントの軸方向に対して略垂直に形成されて荷重伝達面を構成し、
該荷重伝達面と上下方向に重なる位置にルーフレールの断面中心が位置する
請求項３〜５の何れか１項に記載の車両の上部車体構造。
【請求項７】
上記ルーフレール上部を上記パネル接合部よりも上方に突出させることにより上記ルーフレールの断面中心が上記荷重伝達面と上下方向に重なる位置に形成された
請求項６記載の車両の上部車体構造。
【発明の詳細な説明】
【技術分野】
【０００１】
この発明は、車両の上部車体構造に関し、詳しくは、ルーフ部の左右両端部において車両の前後方向に延びる左右一対のルーフレールと、左右一対のルーフレール間に配設されたルーフパネルと、ルーフパネルの下部を車幅方向に延びるルーフレインフォースメントと、車体側部において上下方向に延びるセンタピラーとを備えたような車両の上部車体構造に関する。
【背景技術】
【０００２】
従来、上述例の車両の上部車体構造としては、次のような構造が知られている。  
すなわち、車体のルーフ部の左右両端部に車両前後方向に延びるようにそれぞれ設けられ、車幅方向内側端部に、複数のパネルが互いに上下方向に重なって接合された断面凹部のパネル接合部（いわゆるモヒカン部）が形成された左右一対のルーフレールと、上記左右一対の両ルーフレール間に配設されたルーフパネルと、このルーフパネルの下側において車幅方向に延びるルーフレインフォースメントと、該ルーフレインフォースメントと車両前後方向の重なる位置で、その上部がルーフレールに結合されると共に、下方へ延びるセンタピラーと、上述のルーフレインフォースメントの車幅方向端部に結合されたガセットと、を備えた車両の上部車体構造である。
【０００３】
この従来構造において、車両の側面衝突時には、センタピラーに対して側突荷重が入力されるので、該センタピラーからルーフレールにねじり荷重が伝達され、上述のパネル接合部（モヒカン部）は閉断面構造ではないため、このパネル接合部のスポット溶接が破断して、ルーフレール断面が潰れ、そのモーメントでルーフレインフォースメントのルーフ側部近傍で座屈する。これにより、センタピラー侵入量が増加する懸念があった。  
上述のセンタピラー侵入量の増加を抑制するためには、板厚を厚くしたり、或は、補強部材を設けることが考えられるが、この場合には、上部車体重量が大となる問題点がある。  
このような問題点を解決するために、特許文献１に開示された車両の上部車体構造が既に発明されている。
【０００４】
この特許文献１に開示された構造は、ルーフ部の端部において、ルーフレールアウタとルーフレールインナとで閉断面を形成して車両の前後方向に延びるルーフレールと、ルーフパネルの下側において車幅方向に延びるルーフレインフォースメントと、このルーフレインフォースメントの車幅方向端部とルーフレールインナとを連結するガセットと、を設け、このガセットの車幅方向中間部に段差部を形成し、車両の側面衝突時に該段差部に応力を集中させて、段差部を起点として当該ガセットを折れ曲げ変形させることにより、ルーフレインフォースメントに伝達される曲げモーメントを低減するものであるが、まだ充分でははく、改善の余地があった。
【先行技術文献】
【特許文献】
【０００５】
【特許文献１】特開２００９−６７３２８号公報
【発明の概要】
【発明が解決しようとする課題】
【０００６】
そこで、この発明は、衝突初期にはルーフレインフォースメントへ荷重入力させずに、ルーフレールのねじれ変形と曲げ変形とで側突荷重を受け止めた後、ルーフレインフォースメントへ低減された荷重、かつ曲げモーメントの小さい荷重を伝達することにより、ルーフレインフォースメントの座屈がルーフの車幅方向側部近傍で発生しない車両の上部車体構造の提供を目的とする。
【課題を解決するための手段】
【０００７】
この発明による車両の上部車体構造は、車体のルーフ部の左右両端部に車両前後方向に延びるようにそれぞれ設けられ、車幅方向内側端部に、複数のパネルが互いに上下方向に重なって接合された断面凹状のパネル接合部が形成された左右一対のルーフレールと、上記左右一対の両ルーフレール間に配設されたルーフパネルと、上記ルーフパネルの下側において車幅方向に延びるルーフレインフォースメントと、上記ルーフレインフォースメントと車両前後方向に重なる位置で上部が上記ルーフレールに結合されると共に、下方へ延びるセンタピラーと、上記ルーフレインフォースメントの車幅方向端部に結合されたガセットと、を備えた車両の上部車体構造であって、上記ルーフレインフォースメントとガセットとは、上記パネル接合部に接合されておらず、上記ルーフレールとガセットとが離隔した離隔部を形成、または、ルーフレールとガセットとの連結部近傍に脆弱な脆弱部が形成されたものである。  
上述の断面凹状のパネル接合部は、いわゆるモヒカン部を意味する。
【０００８】
上記構成によれば、上述の離隔部または脆弱部を形成したことにより、側面衝突初期にはセンタピラー上部が離隔部の範囲内でフリーに変形、またはセンタピラー上部で脆弱部をクラッシュさせるので、当該衝突初期にはルーフレインフォースメントへ側突荷重が入力されず、ルーフレールのねじれ変形と曲げ変形とで荷重を受け止めることができる。  
その後、ルーフレインフォースメントに対しては低減された荷重が伝達されるので、ルーフレインフォースメントの座屈がルーフの車幅方向側部近傍で発生しない。  
また、ルーフレインフォースメントとガセットとは、パネル接合部に接合されておらず、非接合構造となっているので、パネル接合部の溶接剥離を防止することができる。  
因に、ルーフレインフォースメントとガセットとが、パネル接合部に接合されている場合には、変形時にガセットによりパネル接合部が引っ張られて溶接が剥離するので好ましくない。
【０００９】
この発明の一実施態様においては、上記離隔部または上記脆弱部が上記パネル接合部の下方に位置するものである。
【００１０】
上記構成によれば、離隔部または脆弱部をパネル接合部の下方に設定したので、荷重入力点（ルーフレール閉断面の断面中心参照）と作用点との間の距離を短くすることができ、これによりルーフレインフォースメントへの曲げモーメントを小さくして、曲げモーメントが小さい荷重をルーフレインフォースメントに伝達することができるので、ルーフレインフォースメントの座屈がルーフの車幅方向側部近傍で発生しない。
【００１１】
この発明の一実施態様においては、上記ルーフレールはルーフレールアウタとルーフレールインナとを有し、上記ルーフレールインナのガセット対向面が略垂直に形成されており、上記離隔部においてルーフレールインナのガセット対向面とガセット端部の対向面とが互いに略平行となるように配設されたものである。
【００１２】
上記構成によれば、ルーフレールインナのガセット対向面とガセット端部の対向面とが略平行であるので、側突荷重の入力時には、ルーフレインフォースメントに対して入力が略軸方向に伝わるようになると共に、ルーフレールインナのガセット対向面とガセット端部の対向面とが衝合した時には、パネル接合部と、ルーフレールインナのガセット対向面と、ガセットとで、強度が高い略コ字形状が形成され、ガセットからルーフレールに伝わる反力により、パネル接合部の接合剥離を抑制できる。
【００１３】
この発明の一実施態様においては、上記ルーフレールはルーフレールアウタとルーフレールインナとを有し、上記ルーフレールインナのガセット対向面が略垂直に形成されており、上記脆弱部の車幅方向内側端部の位置に上記ルーフレールインナのガセット対向面と略平行な対向部が形成されたものである。  
上述の対向部は、対向面であってもよく、または、対向辺であってもよい。
【００１４】
上記構成によれば、ルーフレールインナのガセット対向面とガセット側の対向部とが略平行に形成されているので、側突荷重の入力時には、ルーフレインフォースメントに対して入力が略軸方向に伝わるようになると共に、ガセットをルーフレールインナに取付けることができるので、車体に対する組付け性の向上を図ることができる。
【００１５】
この発明の一実施態様においては、上記ルーフレインフォースメントと前後方向および上下方向で重なる位置の上記ルーフレール内に節部材が配設されたものである。
【００１６】
上記構成によれば、ルーフレール内の上記所定位置に節部材を配設し、側突時にルーフレール断面が潰れないように構成したので、節部材により、ルーフレールの断面形状を維持することができ、これにより曲げ成分少なくガセットを介してルーフレインフォースメントの略軸方向に側突荷重を伝達することができる。  
よって、ルーフレインフォースメントの座屈がルーフの車幅方向側部近傍で発生しない。
【００１７】
この発明の一実施態様においては、上記ルーフレールインナのガセット対向面が、上記ルーフレインフォースメントの軸方向に対して略垂直に形成されて荷重伝達面を構成し、該荷重伝達面と上下方向に重なる位置にルーフレールの断面中心が位置するものである。
【００１８】
上記構成によれば、ルーフレールインナの荷重伝達面と断面中心（いわゆる重心）とが上下方向でオーバラップするので、側突時にはルーフレインフォースメントの略軸方向に側突荷重を伝達することができ、ルーフレインフォースメントの座屈がルーフの車幅方向側部近傍で発生しない。
【００１９】
この発明の一実施態様においては、上記ルーフレール上部を上記パネル接合部よりも上方に突出させることにより上記ルーフレールの断面中心が上記荷重伝達面と上下方向に重なる位置に形成されたものである。
【００２０】
上記構成によれば、比較的簡単な構成で、荷重伝達面と上下方向に重なる位置にルーフレールの断面中心（重心）を位置させることができる。  
よって、簡単な構成でありながら、側突時にルーフレインフォースメントの略軸方向に側突荷重を伝達することができ、ルーフレインフォースメントのルーフの車幅方向側部近傍での座屈を抑止することができる。
【発明の効果】
【００２１】
この発明によれば、ルーフレインフォースメントとガセットとは、パネル接合部に接合されておらず、ルーフレールとガセットとが離隔した離隔部を形成、または、ルーフレールとガセットとの連結部近傍に脆弱な脆弱部を形成したので、側面衝突初期にはセンタピラー上部が離隔部の範囲内でフリーに変形、または、センタピラー上部で脆弱部をクラッシュさせ、これにより当該衝突初期には、ルーフレインフォースメントへ側突荷重が入力されず、ルーフレールのねじれ変形と曲げ変形とで荷重を受け止めることができる。  
その後、ルーフレインフォースメントに対しては、低減された荷重が伝達されるので、ルーフレインフォースメントの座屈がルーフの車幅方向側部近傍で発生しない、という効果がある。
【図面の簡単な説明】
【００２２】
【図１】本発明の車両の上部車体構造を備えた車体の斜視図
【図２】図１の要部拡大側面図
【図３】図１のＡ−Ａ線矢視断面図
【図４】ガセットの斜視図
【図５】上部車体構造を車室内から見上げた状態で示す斜視図
【図６】節部材とルーフレインフォースメントとの関係を示す斜視図
【図７】節部材とルーフレインフォースメントおよびガセットとの関係を示す側面図
【図８】側面衝突による変形時の断面図
【図９】車両の上部車体構造の他の実施例を示す断面図
【図１０】ガセットの斜視図
【図１１】上部車体構造を車室内から見上げた状態で示す斜視図
【図１２】節部材とルーフレインフォースメントおよびガセットとの関係を示す斜視図
【図１３】節部材とルーフレインフォースメントおよびガセットとの関係を示す側面図
【発明を実施するための形態】
【００２３】
衝突初期にはルーフレインフォースメントへ荷重入力させずに、ルーフレールのねじれ変形と曲げ変形とで側突荷重を受け止めた後、ルーフレインフォースメントへ低減された荷重、かつ曲げモーメントの小さい荷重を伝達することにより、ルーフレインフォースメントの座屈がルーフの車幅方向側部近傍で発生しないという目的を、車体のルーフ部の左右両端部に車両前後方向に延びるようにそれぞれ設けられ、車幅方向内側端部に、複数のパネルが互いに上下方向に重なって接合された断面凹状のパネル接合部が形成された左右一対のルーフレールと、上記左右一対の両ルーフレール間に配設されたルーフパネルと、上記ルーフパネルの下側において車幅方向に延びるルーフレインフォースメントと、上記ルーフレインフォースメントと車両前後方向に重なる位置で上部が上記ルーフレールに結合されると共に、下方へ延びるセンタピラーと、上記ルーフレインフォースメントの車幅方向端部に結合されたガセットと、を備えた車両の上部車体構造において、上記ルーフレインフォースメントとガセットとは、上記パネル接合部に接合されておらず、上記ルーフレールとガセットとが離隔した離隔部を形成、または、ルーフレールとガセットとの連結部近傍に脆弱な脆弱部が形成されるという構成にて実現した。
【実施例１】
【００２４】
この発明の一実施例を以下図面に基づいて詳述する。  
図面は車両の上部車体構造を示し、図１は当該上部車体構造を備えた車体の斜視図、図２は図１の要部拡大側面図、図３は図１のＡ−Ａ線矢視断面図である。なお、以下の実施例では車両左側の上部車体構造について説明するが、車両右側の上部車体構造は、左側のそれと左右略対称に構成されている。
【００２５】
図１に示すように、この実施例に係る車体１には、フロントウインド（図示せず）の左右両側部を支持する左右のフロントピラー２，２が設けられ、これらフロントピラー２の下部は上下方向に延びるヒンジピラー３に連結されている。このヒンジピラー３は、ヒンジピラーアウタとヒンジピラーインナとを接合固定して、上下方向に延びるヒンジピラー閉断面を備えた車体剛性部材である。
【００２６】
上述の左右のフロントピラー２，２の後端には、車両の前後方向に延びる左右一対のルーフレール４，４が連続して形成され、これら左右一対のルーフレール４，４間の領域が、車体上部において車両前後方向および車幅方向に広がるように配設された鋼板製のルーフパネル５によって覆われている。
【００２７】
また、図１に示すように、車両前後方向に延びるルーフレール４の前後方向中間部（この実施例では、前後方向の中央部）には、上下方向に延びる閉断面構造のセンタピラー６が連続して形成され、ルーフレール４の後端部には、上下方向に延びるリヤピラー７が連続して形成されている。
【００２８】
また、図１に示すように、車体下部には、ヒンジピラー４の下部から車両後方に向かって延びる閉断面構造のサイドシル８が配設され、図１，図２に示すように、サイドシル８の車両前後方向中央部と、ルーフレール４の車両前後方向中央部とが上述のセンタピラー６により上下方向に連結されている。そして、車体１では、ヒンジピラー３、フロントピラー２、ルーフレール４、センタピラー６、サイドシル８で囲繞されたフロント側のドア開口９と、センタピラー６、ルーフレール４、リヤピラー７、サイドシル８で囲繞されたリヤ側のドア開口１０とが形成されている。
【００２９】
また、図１に示すように、ルーフパネル６の前部、後部には、それぞれ略閉断面構造のフロントヘッダ１１、リヤヘッダ１２が接合されている。このフロントヘッダ１１、リヤヘッダ１２は、ルーフパネル５の前部、後部において車幅方向に延びる車体剛性部材である。
【００３０】
さらに、ルーフパネル５の下方側（車室面側）には、上述したフロントヘッダ１１、リヤヘッダ１２の間に、車幅方向に沿って延びる複数のルーフレインフォースメント１３，１４，１５が設けられ、上述したルーフパネル５と、フロントヘッダ１１、リヤヘッダ１２、および、複数のルーフレインフォースメント１３，１４，１５によりルーフ部１６が構成されている。
【００３１】
上述のルーフレール４は、図３に断面図で示すように、ルーフ部１６の左右両端部（車幅方向両端部）において車両の前後方向に延びるように設けられており、このルーフレール４の車幅方向内側端部には、複数のパネルつまり、後述するルーフレールアウタ部２７の車幅方向内側端部の段差状の折曲げ部２７ａと、ルーフレールアウタレイン２９の車幅方向内側端部２９ａと、ルーフレールインナ２８の上部かつ車幅方向内側端部２８ａと、が互いに上下方向に重なって接合された断面凹状のパネル接合部２０（いわゆるモヒカン部）が形成されている。
【００３２】
上述のルーフパネル５は、左右一対の両ルーフレール４，４間に配設されたもので、このルーフパネル５の車幅方向端部には略Ｌ字状の折曲げ部５ａが一体形成されており、この略Ｌ字状の折曲げ部５ａの車外側下部を上述のパネル接合部２０に接合すべく構成している。  
上述のセンタピラー６と対応する位置において、ルーフパネル５の下面側を車幅方向に延びるルーフレインフォースメント１４は、図３に示すように、接着剤２１を用いてルーフパネル５の下面に接着固定されている。  
上述のルーフレインフォースメント１４は、図７に側面図で示すように、前側のフランジ部１４ａと、このフランジ部１４ａの後端から下方に延びる前片部１４ｂの下端から後方に延びる底片部１４ｃと、底片部１４ｃの後端から上方に立上がる中間縦壁部１４ｄと、中間縦壁部１４ｄの上端から後方に延びる上片部１４ｅと、上片部１４ｅの後端から下方に延びる中間縦壁部１４ｆと、中間縦壁部１４ｆの下端から後方に延びる底片部１４ｇと、底片部１４ｇの後端から上方に立上がる後片部１４ｈと、後片部１４ｈの上端から後方に延びる後側のフランジ部１４ｉとを、側面視で略Ｗ字状に一体形成したものである。  
上述のセンピラー６は、ルーフレインフォースメント１４と車両前後方向に重なる位置で、その上部が上記ルーフレール４に結合一体化されると共に、下方へ延びて、その下部が前述のサイドシル８に結合されている。
【００３３】
図３に示すように、このセンタピラー６はセンタピラーインナ２２とセンタピラーアウタ部２３とセンタピラーアウタレイン２４とを有し、上下方向に延びるセンタピラー閉断面２５を備えた車体強度部材である。  
ここで、上述のセンタピラーアウタ部２３はサイドアウタパネル２６（車体外板）の一部により構成されるもので、サイドアウタパネル２６の他部はルーフレールアウタ部２７を構成している。  
また、上述のルーフレール４は、図３に示すように、車外側に位置するルーフレールアウタ部２７と、車内側に位置するルーフレールインナ２８と、これら両者２７，２８の中間に位置するルーフレールアウタレイン２９とから構成されている。  
上述の断面凹状のパネル接合部２０（いわゆるモヒカン部）は、ルーフレールアウタ部２７の車幅方向内側端部の段差状の折曲げ部２７ａと、ルーフレールアウタレイン２９の車幅方向内側端部２９ａと、ルーフレールインナ２８の上部かつ車幅方向内側端部２８ａと、を互いに上下方向に重ねてスポット溶接等の溶接手段にて接合したものである。  
図３に示すように、センタピラーインナ２２の上端部２２ａはルーフレールインナ２８の下端部２８ｂに接合固定されており、また、センタピラーアウタレイン２４の上端部２４ａはルーフレールアウタレイン２９の車外側における上下方向中間部に接合固定されている。
【００３４】
図４はガセットの斜視図、図５は上部車体構造を車室内から見上げた状態で示す斜視図、図６は節部材とルーフレインフォースメントとの関係を示す斜視図、図７は同様に節部材とルーフレインフォースメントとの関係を示す側面図である。但し、図６においては、ルーフレールアウタレイン２９およびサイドアウタパネル２６（ルーフレールアウタ部２７を含む）の図示を省略し、図７においては、ルーフレールインナ２８、ルーフレールアウタレイン２９、センタピラーアウタレイン２４、ルーフレールアウタ部２７を含むサイドアウタパネル２６の図示を省略している。
【００３５】
図３，図５，図６，図７に示すように、ルーフレインフォースメント１４の車幅方向端部には、図４に示す形状のガセット（詳しくはルーフレインガセット）３０を結合している。
【００３６】
図４に示すように、上述のガセット３０は、前側のフランジ部３０ａと、このフランジ部３０ａの後端から下方に延びる前片部３０ｂと、前片部３０ｂの下端から後方に延びる底片部３０ｃと、底片部３０ｃの後端から上方に立上がる中間縦壁部３０ｄと、中間縦壁部３０ｄの上端から後方に延びる上片部３０ｅと、上片部３０ｅの後端から下方に延びる中間縦壁部３０ｆと、中間縦壁部３０ｆの下端から後方に延びる底片部３０ｇと、底片部３０ｇの後端から上方に立上がる後片部３０ｈと、後片部３０ｈの上端から後方に延びる後側のフランジ部３０ｉとを、側面視で略Ｗ字状に一体形成したものであり、ルーフレインフォースメント１４の車幅方向端部の略Ｗ字状に対応する形状に構成されている。
【００３７】
図３に示すように、上述のガセット３０はルーフレインフォースメント１４の車幅方向端部から車外側に位置する部分が当該ガセット３０の全高以下の高さ、この実施例では全高の約１／２以下の高さに設定された延出部３０ｊとなり、この延出部３０ｊがパネル接合部２０と離間してその下方に位置するように構成している。
【００３８】
また、図７に示すように、上述のガセット３０の各フランジ部３０ａ，３０ｉは、ルーフレインフォースメント１４の各フランジ部１４ａ，１４ｉの下部にスポット溶接などの接合手段により接合固定されており、図７，図３に示すように、延出部３０ｊを除くルーフレインフォースメント１４の車幅方向端部が該ルーフレインフォースメント１４とガセット３０との二重構造に形成されており、強度の向上を図るように構成している。
【００３９】
しかも、図３に示すように、ルーフレインフォースメント１４とガセット３０との両者は、上述のパネル接合部２０に接合されておらず、これら両者１４，３０はパネル接合部２０に対して非接合構造に形成されており、かつ、ルーフレール４のルーフレールインナ２８とガセット３０の延出部３０ｊ車外側端部とが離隔した離隔部３１を形成していて、側面衝突の初期にルーフレインフォースメント１４へ側突荷重を入力しないように構成している。
【００４０】
また、図３に示すように、上述の離隔部３１はパネル接合部２０の下方に位置するように構成されている。つまり、ルーフレール４の断面中心（重心）Ｘは側突時の荷重入力点Ｙとなり、側突によりセンタピラー６およびルーフレール４が図３に示すノーマル状態から図８に示すように変形し、ルーフレールインナ２８とガセット３０の車外側端部とが当接した時点のルーフレール４の回転中心（すなわち、作用点）Ｚは当該当接点となる。  
そこで、上述の離隔部３１の位置をパネル接合部２０の下方（つまり可及的車外側）に設定することにより、回転中心（作用点）Ｚを車外側の位置として、曲げモーメントが小さくなるように形成している。
【００４１】
曲げモーメントは次の式により示すことができる。  
曲げモーメント＝力×（荷重入力点Ｙと作用点Ｚとの間の距離）  
上述のように、離隔部３１をパネル接合部２０の下方に設定することにより、荷重入力点Ｙ（つまり断面中心Ｘの位置）と作用点Ｚ（図８参照）との間の距離を短くし、これにより、ルーフレインフォースメント１４への曲げモーメントを小さくして、曲げモーメントが小さくなった荷重をルーフレインフォースメント１４に伝達すべく構成したものである。
【００４２】
さらに、図３に示すように、ルーフレール４はサイドアウタパネル２６のルーフレールアウタ部２７と、ルーフレールアウタレイン２９と、ルーフレールインナ２８と、を有しており、このルーフレールインナ２８がガセット３０と対向するガセット対向面２８Ａは略垂直に形成されている。また、このガセット対向面２８Ａはルーフレインフォースメント１４の軸方向（長手方向）に対しても略垂直に形成されて荷重伝達面２８Ｂを構成している。
【００４３】
そして、上述の離隔部３１においてルーフレールインナ２８のガセット対向面２８Ａと、ガセット３０の車幅方向外端部の対向面３０Ａとが互いに略平行となるように配設されており、側突荷重の入力時に、ルーフレインフォースメント１４に対して入力が略軸方向（図８の矢印α方向参照）に伝わるように構成すると共に、ガセット対向面２８Ａとガセット３０側の対向面３０Ａとが衝合した時（図８参照）、パネル接合部２０と、ガセット対向面２８Ａと、ガセット３０の延出部３０ｊとで、強度が高い略コ字形状を形成して、ガセット３０からルーフレール４に伝わる反力により、パネル接合部２０の接合剥離を抑制すべく構成している。
【００４４】
ところで、図３，図６，図７に示すように、ルーフレインフォースメント１４およびガセット３０と前後方向および上下方向で重なる位置のルーフレール４内、すなわち、ルーフレールインナ２８とルーフレールアウタレイン２９との間には、複数の節部材４１，４２，４３を配設している。  
これらの各節部材４１，４２，４３は、図６，図７に示すように、節本体４１ａ，４２ａ，４３ａと、該節本体４１ａ，４２ａ，４３ａから前後方向に折曲げ形成（この実施例では前方に折曲げ形成）されて、ルーフレールインナ２８またはルーフレールアウタレイン２９に接合固定されるフランジ部４１ｂ，４２ｂ，４３ｂと、を一体形成したものである。
【００４５】
この実施例では、複数の節部材４１，４２，４３として合計３つの節部材を用いており、図７に示すように、前側の節部材４１はルーフレインフォースメント１４の前片部１４ｂおよびガセット３０の前片部１４ｂと前後方向、上下方向でオーバラップしており、中間の節部材４２はガセット３０の上片部３０ｅと前後方向、上下方向でオーバラップしており、後側の節部材４３はルーフレインフォースメント１４の後片部１４ｈおよびガセット３０の後片部３０ｈと前後方向、上下方向でオーバラップしている。
【００４６】
このように、ルーフレール４内に節部材４１，４２，４３を配設し、側突時にルーフレール４の閉断面が潰れないように構成し、節部材４１，４２，４３により、ルーフレール４の断面形状を維持し、以って、曲げ成分少なくガセット３０を介してルーフレインフォースメント１４の略軸方向に側突荷重を伝達すべく構成している。
【００４７】
また、図３に示すように、上述の荷重伝達面２８Ｂと上下方向に重なる位置にルーフレール４の断面中心（つまり重心）Ｘが位置するように形成しており、側突時にルーフレインフォースメント１４の略軸方向に側突荷重を伝達すべく構成している。  
この実施例では、図３に示すように、ルーフレール４上部をパネル接合部２０よりも上方に突出させることで、該ルーフレール４の断面中心Ｘが荷重伝達面２８Ｂと上下方向に重なる位置に形成されており、比較的簡単な構成で、荷重伝達面２８Ｂと断面中心Ｘとの上下方向オーバラップ構造を確保すべく構成している。  
なお、図中、矢印Ｆは車両の前方を示し、矢印Ｒは車両の後方を示し、矢印ＩＮは車幅方向の内方を示し、矢印ＯＵＴは車幅方向の外方を示す。
【００４８】
このように、図１〜図８で示した実施例１の車両の上部車体構造は、車体のルーフ部１６の左右両端部に車両前後方向に延びるようにそれぞれ設けられ、車幅方向内側端部に、複数のパネルが互いに上下方向に重なって接合された断面凹状のパネル接合部２０（いわゆるモヒカン部）が形成された左右一対のルーフレール４と、上記左右一対の両ルーフレール４，４間に配設されたルーフパネル５と、上記ルーフパネル５の下側において車幅方向に延びるルーフレインフォースメント１４と、上記ルーフレインフォースメント１４と車両前後方向に重なる位置で上部が上記ルーフレール４に結合されると共に、下方へ延びるセンタピラー６と、上記ルーフレインフォースメント１４の車幅方向端部に結合されたガセット３０と、を備えた車両の上部車体構造であって、上記ルーフレインフォースメント１４とガセット３０とは、上記パネル接合部２０に接合されておらず、上記ルーフレール４とガセット３０とが離隔した離隔部３１を形成したものである（図３参照）。
【００４９】
この構成によれば、上述の離隔部３１を形成したことにより、側面衝突初期にはセンタピラー６上部が離隔部３１の範囲内でフリーに変形するので、当該衝突初期にはルーフレインフォースメント１４へ側突荷重が入力されず、ルーフレール４のねじれ変形と曲げ変形とで荷重を受け止めることができる。  
その後、ルーフレインフォースメント１４に対しては低減された荷重が伝達されるので、ルーフレインフォースメント１４の座屈がルーフの車幅方向側部近傍で発生しない。  
また、ルーフレインフォースメント１４とガセット３０とは、パネル接合部２０に接合されておらず、非接合構造となっているので、パネル接合部２０の溶接剥離を防止することができる。  
因に、ルーフレインフォースメントとガセットとが、パネル接合部に接合されている場合には、変形時にガセットによりパネル接合部が引っ張られて溶接が剥離するので好ましくない。  
さらに、上記離隔部３１が上記パネル接合部２０の下方に位置するものである（図３参照）。
【００５０】
この構成によれば、離隔部３１をパネル接合部２０の下方に設定したので、荷重入力点Ｙ（ルーフレール閉断面の断面中心Ｘ参照）と作用点Ｚ（図８参照）との間の距離を短くすることができ、これによりルーフレインフォースメント１４への曲げモーメントを小さくして、曲げモーメントが小さい荷重をルーフレインフォースメント１４に伝達することができるので、ルーフレインフォースメント１４の座屈がルーフの車幅方向側部近傍で発生しない。  
さらにまた、上記ルーフレール４はルーフレールアウタ（ルーフレールアウタ部２７参照）とルーフレールインナ２８とを有し、上記ルーフレールインナ２８のガセット対向面２８Ａが略垂直に形成されており、上記離隔部３１においてルーフレールインナ２８のガセット対向面２８Ａとガセット３０端部の対向面３０Ａとが互いに略平行となるように配設されたものである（図３参照）。
【００５１】
この構成によれば、ルーフレールインナ２８のガセット対向面２８Ａとガセット３０端部の対向面３０Ａとが略平行であるので、側突荷重の入力時には、ルーフレインフォースメント１４に対して入力が略軸方向に伝わるようになると共に、ルーフレールインナ２８のガセット対向面２８Ａとガセット３０端部の対向面３０Ａとが衝合した時（図８参照）には、パネル接合部２０と、ルーフレールインナ２８のガセット対向面２８Ａと、ガセット３０とで、強度が高い略コ字形状が形成され、ガセット３０からルーフレール４に伝わる反力により、パネル接合部２０の接合剥離を抑制できる。  
加えて、上記ルーフレインフォースメント１４と前後方向および上下方向で重なる位置の上記ルーフレール４内に節部材４１，４２，４３が配設されたものである（図３，図６，図７参照）。
【００５２】
この構成によれば、ルーフレール４内の上記所定位置に節部材４１，４２，４３を配設し、側突時にルーフレール４断面が潰れないように構成したので、節部材４１，４２，４３により、ルーフレール４の断面形状を維持することができ、これにより曲げ成分少なくガセット３０を介してルーフレインフォースメント１４の略軸方向に側突荷重を伝達することができる。  
よって、ルーフレインフォースメント１４の座屈がルーフの車幅方向側部近傍で発生しない。  
また、上記ルーフレールインナ２８のガセット対向面２８Ａが、上記ルーフレインフォースメント１４の軸方向に対して略垂直に形成されて荷重伝達面２８Ｂを構成し、該荷重伝達面２８Ｂと上下方向に重なる位置にルーフレール４の断面中心Ｘ（重心）が位置するものである（図３参照）。
【００５３】
この構成によれば、ルーフレールインナ２８の荷重伝達面２８Ｂと断面中心Ｘ（いわゆる重心）とが上下方向でオーバラップするので、側突時にはルーフレインフォースメント１４の略軸方向に側突荷重を伝達することができ、ルーフレインフォースメント１４の座屈がルーフの車幅方向側部近傍で発生しない。  
さらに、上記ルーフレール４上部を上記パネル接合部２０よりも上方に突出させることにより上記ルーフレール４の断面中心Ｘが上記荷重伝達面２８Ｂと上下方向に重なる位置に形成されたものである（図３参照）。
【００５４】
この構成によれば、比較的簡単な構成で、荷重伝達面２８Ｂと上下方向に重なる位置にルーフレール４の断面中心Ｘ（重心）を位置させることができる。  
よって、簡単な構成でありながら、側突時にルーフレインフォースメント１４の略軸方向に側突荷重を伝達することができ、ルーフレインフォースメント１４のルーフの車幅方向側部近傍での座屈を抑止することができる。
【実施例２】
【００５５】
図９〜図１３は車両の上部車体構造の他の実施例を示し、図９は図１のＡ−Ａ線矢視断面図（図３に対応する背面図）、図１０はガセットの斜視図（図４に対応する図）、図１１は上部車体構造を車室内から見上げた状態で示す斜視図（図５に対応する図）、図１２は節部材とルーフレインフォースメントおよびガセットとの関係を示す斜視図（図６に対応する図）、図１３は同様に節部材とルーフレインフォースメントおよびガセットとの関係を示す側面図（図７に対応する図）である。なお、この実施例２においても車両左側の上部車体構造について説明するが、車両右側の上部車体構造は、左側のそれと左右略対称に構成されている。
【００５６】
図１〜図８で示した先の実施例１においては、離隔部３１を形成したが、図９〜図１３で示すこの実施例２においては、離隔部３１に代えて、ルーフレール４とガセット３０との連結部近傍に脆弱な脆弱部３２を形成したものであり、側突初期にはルーフレインフォースメント１４へ側突荷重を入力しないように構成している。  
すなわち、図９，図１０に示すように、ガセット３０の延出部３０ｊにおける底片部３０ｃ，３０ｇおよび上片部３０ｅに開口部３０ｋ…を開口形成し、これら各開口部３０ｋにより上述の脆弱部３２を形成したものである。
【００５７】
また、この実施例２においては、上述の延出部３０ｊはルーフレールインナ２８に達する位置まで延出されており、この延出端部における前片部３０ｂ、底片部３０ｃ，３０ｇ、上片部３０ｅおよび後片部３０ｈには、ルーフレールインナ２８に連結される取付け片３０ｍ…がそれぞれ一体に折曲げ形成されている。  
さらに、図９に示すように、上述の脆弱部３２はパネル接合部２０と離間してその下方に位置するように形成されており、荷重入力点Ｙと作用点との間の距離を短くし、ルーフレインフォースメント１４への曲げモーメントが小さくなるように構成している。
【００５８】
しかも、図９，図１０に示すように、脆弱部３２の車幅方向内側端部の位置、つまり開口部３０ｋの車幅方向内側端部の位置に、上述のルーフレールインナ２８のガセット対向面２８Ａと略平行な対向部としての対向面３０Ｂを一体形成し、側突荷重の入力時には、ルーフレインフォースメント１４に対して入力が略軸方向に伝わるように構成すると共に、上述の各取付け片３０ｍを介して、ガセット３０をルーフレールインナ２８に取付け可能と成すことにより、車体に対する組付け性の向上を図るように構成している。  
この実施例２では、上述の対向面３０Ｂはガセット３０の前片部３０ｂおよび後片部３０ｈから車両前後方向に一体に折曲げ形成している。
【００５９】
このように、図９〜図１３で示した実施例２の車両の上部車体構造は、車体のルーフ部１６の左右両端部に車両前後方向に延びるようにそれぞれ設けられ、車幅方向内側端部に、複数のパネルが互いに上下方向に重なって接合された断面凹状のパネル接合部２０が形成された左右一対のルーフレール４と、上記左右一対の両ルーフレール４，４間に配設されたルーフパネル５と、上記ルーフパネル５の下側において車幅方向に延びるルーフレインフォースメント１４と、上記ルーフレインフォースメント１４と車両前後方向に重なる位置で上部が上記ルーフレール４に結合されると共に、下方へ延びるセンタピラー６と、上記ルーフレインフォースメント１４の車幅方向端部に結合されたガセット３０と、を備えた車両の上部車体構造であって、上記ルーフレインフォースメント１４とガセット３０とは、上記パネル接合部２０に接合されておらず、ルーフレール４（詳しくは、ルーフレールインナ２８）とガセット３０との連結部近傍に脆弱な脆弱部３２が形成されたものである（図９参照）。
【００６０】
この構成によれば、上述の脆弱部３２を形成したことにより、側面衝突初期にはセンタピラー６上部で脆弱部３２をクラッシュさせるので、当該衝突初期にはルーフレインフォースメント１４へ側突荷重が入力されず、ルーフレール４のねじれ変形と曲げ変形とで荷重を受け止めることができる。  
その後、ルーフレインフォースメント１４に対しては低減された荷重が伝達されるので、ルーフレインフォースメント１４の座屈がルーフの車幅方向側部近傍で発生しない。  
また、ルーフレインフォースメント１４とガセット３０とは、パネル接合部２０に接合されておらず、非接合構造となっているので、パネル接合部２０の溶接剥離を防止することができる。  
因に、ルーフレインフォースメントとガセットとが、パネル接合部に接合されている場合には、変形時にガセットによりパネル接合部が引っ張られて溶接が剥離するので好ましくない。  
さらに、上記脆弱部３２が上記パネル接合部２０の下方に位置するものである（図９参照）。
【００６１】
この構成によれば、脆弱部３２をパネル接合部２０の下方に設定したので、荷重入力点Ｙ（ルーフレール閉断面の断面中心Ｘ参照）と作用点との間の距離を短くすることができ、これによりルーフレインフォースメント１４への曲げモーメントを小さくして、曲げモーメントが小さい荷重をルーフレインフォースメント１４に伝達することができるので、ルーフレインフォースメント１４の座屈がルーフの車幅方向側部近傍で発生しない。  
加えて、上記ルーフレール４はルーフレールアウタ（ルーフレールアウタ部２７参照）とルーフレールインナ２８とを有し、上記ルーフレールインナ２８のガセット対向面２８Ａが略垂直に形成されており、上記脆弱部３２の車幅方向内側端部（開口部３０ｋの車幅方向内側端部の口縁位置参照）の位置に上記ルーフレールインナ２８のガセット対向面２８Ａと略平行な対向部（対向面３０Ｂ参照）が形成されたものである（図９，図１０参照）。
【００６２】
この構成によれば、ルーフレールインナ２８のガセット対向面２８Ａとガセット３０側の対向部（対向面３０Ｂ参照）とが略平行に形成されているので、側突荷重の入力時には、ルーフレインフォースメント１４に対して入力が略軸方向に伝わるようになると共に、複数の取付け片３０ｍを介して、ガセット３０をルーフレールインナ２８に取付けることができるので、ガセット３０の車体に対する組付け性の向上を図ることができる。
【００６３】
図９〜図１３で示したこの実施例２においても、その他の構成、作用、効果については、図１〜図８で示した先の実施例１と同様であるから、図９〜図１３において、前図と同一の部分には、同一符号を付して、その詳しい説明を省略する。
【００６４】
この発明の構成と、上述の実施例との対応において、
この発明のルーフレールアウタは、実施例のサイドアウタパネル２６により形成されるルーフレールアウタ部２７に対応し、
以下同様に、
ルーフレールインナのガセット対応面と略平行な対向部（請求項４）は、対向面３０Ｂに対応するも、
この発明は、上述の実施例の構成のみに限定されるものではない。  
例えば、上記実施例においては、ガセット３０の前後のフランジ部３０ａ，３０ｉをルーフレインフォースメント１４に接合固定したが、これに加えてガセット３０の上片部３０ｅもルーフレインフォースメント１４に接合固定すべく構成してもよく、節部４１，４２，４３は前後方向に離間させて合計３つ設けたが、節部材を、ガセット３０の前片部３０ｂ、中間縦壁部３０ｄ，３０ｆ、後片部３０ｈに対向する位置に複数設けるように構成してもよい。
【産業上の利用可能性】
【００６５】
以上説明したように、本発明は、ルーフ部の左右両端部において車両の前後方向に延びる左右一対のルーフレールと、左右一対のルーフレール間に配設されたルーフパネルと、ルーフパネルの下部を車幅方向に延びるルーフレインフォースメントと、車体側部において上下方向に延びるセンタピラーと、ルーフレインフォースメントの車幅方向端部に結合されたガセットと、を備えた車両の上部車体構造について有用である。
【符号の説明】
【００６６】
４…ルーフレール
５…ルーフパネル
６…センタピラー
１４…ルーフレインフォースメント
１６…ルーフ部
２０…パネル接合部
２７…ルーフレールアウタ部（ルーフレールアウタ）
２８…ルーフレールインナ
２８Ａ…ガセット対向面
２８Ｂ…荷重伝達面
３０…ガセット
３０Ａ…対向面
３０Ｂ…対向面（対向部）
３１…離隔部
３２…脆弱部
４１〜４３…節部材
Ｘ…断面中心
【図１】
2014125039.tif 000003
【図２】
2014125039.tif 000004
【図３】
2014125039.tif 000005
【図４】
2014125039.tif 000006
【図５】
2014125039.tif 000007
【図６】
2014125039.tif 000008
【図７】
2014125039.tif 000009
【図８】
2014125039.tif 000010
【図９】
2014125039.tif 000011
【図１０】
2014125039.tif 000012
【図１１】
2014125039.tif 000013
【図１２】
2014125039.tif 000014
【図１３】
2014125039.tif 000015